(57)【要約】【課題】吸収体の強度が増加し、吸収性が一段と優れ、体液がトップシートに保水することなく、短時間でドライタッチ感が得られ、また物品本体の厚さが薄く、コンパクトで、安価に製造できる吸収性物品を提供すること。【解決手段】少なくとも、透液性のトップシートと、不透液性のバックシートと、前記トップシートと前記バックシート間に介在する吸収体とにより物品本体が形成されて成る吸収性物品において、前記吸収体を複数層に構成し、各層を熱融着により積層する。【選択図】                  図２
2004329511.tif 000002
【特許請求の範囲】
【請求項１】
少なくとも、透液性のトップシートと、不透液性のバックシートと、前記トップシートと前記バックシート間に介在する吸収体とにより物品本体が形成されて成る吸収性物品において、前記吸収体を複数層に構成し、各層を熱融着により積層して成ることを特徴とする吸収性物品。
【請求項２】
前記吸収体の各層は、合成繊維を含有することを特徴とする請求項１に記載の吸収性物品。
【請求項３】
前記合成繊維は、バイコンポーネントの合成繊維であることを特徴とする請求項２に記載の吸収性物品。
【請求項４】
前記吸収体は、上層側より、前記合成繊維又は該合成繊維と高吸収性樹脂とから成る層と、前記高吸収性樹脂又は該高吸収性樹脂と前記合成繊維とから成る層と、前記合成繊維又は該合成繊維とパルプとから成る層とにより構成されていることを特徴とする請求項１乃至請求項３のいずれかに記載の吸収性物品。
【請求項５】
前記吸収体は、含有率が夫々３０〜７０質量％の高吸収性樹脂と、３５〜６５質量％のバイコンポーネント合成繊維と、０〜１０質量％のパルプとにより構成されていることを特徴とする請求項４に記載の吸収性物品。
【発明の詳細な説明】
【０００１】
【発明の属する技術分野】
本発明は、使い捨て紙おむつ、あるいは生理用ナプキン等の吸収性物品に関し、さらに詳細には、体液の吸収性及び液戻り防止の面で優れ、厚みの薄いコンパクトで、安価に製造できる吸収性物品に関する。
【０００２】
【従来の技術】
従来、このような吸収性物品、例えば図３に展開斜視図で、図４に図３のＡ−Ａ断面で示すようなテープ式の使い捨て紙おむつ１００は、使用目的により種々の形態のものが知られているが、その基本構成は大差のないものである。すなわち、このような紙おむつ１００は、通常、表面側、すなわち着用者の肌と当接する面側より順に、透液性を有するトップシート１０１、セカンドシート１０２、上部クレープ紙１０３ａ、吸収体１０４、下部クレープ紙１０３ｂ、防水フィルム１０５、及びバックシート１０６によりおむつ本体１００Ａが形成されている。なお、この使い捨て紙おむつ１００では、おむつ本体１００Ａの幅方向に、尿等の体液漏れ防止用の立体ギャザー１０７が設けられている。これらの各部品はホットメルト接着剤により相互に接着され、おむつ本体１００Ａが構成されている。
【０００３】
従来、トップシート１０１及びセカンドシート１０２には、ポリエステル，ポリプロピレン等から成る透液性の織布，不織布，多孔性フィルム等が用いられ、また、吸収体１０４には、主に綿状パルプ、高吸収性高分子物質等が用いられ、さらにまた、防水フィルム１０５及びバックシート１０６には、ポリエチレン等の不透液性フィルム、不透液性のフィルムに不織布や織布等を貼り合わせて成る素材が一般に用いられている。
【０００４】
しかし、このように構成された従来の使い捨て紙おむつ１００では、上記各構成部品が夫々ホットメルト接着剤によって貼り合わされていたため、多量の接着剤が必要となって製造コストがアップし、また各構成部品間の接着力が弱いため排尿後にセカンドシート１０２と吸収体１０４とが剥離し、体液が逆戻り（ｗｅｔ  ｂａｃｋ）することがあった。このように体液が逆戻りすると、着用者に不快感を与え、特に着用者が乳幼児である場合には、皮膚がかぶれる原因ともなっていた。
【０００５】
また、上記従来の使い捨て紙おむつ１００では、吸収体１０４に、吸収力を高める目的でセルロースパルプが、通常、１０〜７０質量％と多量に含有されていたため、おむつ本体１００Ａが分厚くなっていた。このため、着用者にゴワゴワした感じを与え、また携行時等には嵩張って取り扱いが大変不便であった（例えば、特許文献１参照。）。
【０００６】
【特許文献１】
特開平７−２３６６６５３号公報
【０００７】
【発明が解決しようとする課題】
本発明は、上述したような実情に鑑みてなされたものであり、その目的とするところは、吸収体の強度が増加し、吸収性が一段と優れ、体液がトップシートに保水することなく、短時間でドライタッチ感が得られ、また物品本体の厚さが薄く、コンパクトで、安価に製造できる吸収性物品を提供することである。
【０００８】
【課題を解決するための手段】
本発明の上記目的は、少なくとも、透液性のトップシートと、不透液性のバックシートと、前記トップシートと前記バックシート間に介在する吸収体とにより物品本体が形成されて成る吸収性物品において、前記吸収体を複数層に構成し、各層を熱融着により積層して成ることを特徴とする吸収性物品を提供することによって、達成される。
【０００９】
また、本発明の上記目的は、前記吸収体の各層は、合成繊維を含有することを特徴とする吸収性物品を提供することによって、より効果的に達成される。
【００１０】
また、本発明の上記目的は、前記合成繊維は、バイコンポーネントの合成繊維であることを特徴とする吸収性物品を提供することによって、より効果的に達成される。
【００１１】
また、本発明の上記目的は、前記吸収体は、上層側より、前記合成繊維又は該合成繊維と高吸収性樹脂とから成る層と、前記高吸収性樹脂又は該高吸収性樹脂と前記合成繊維とから成る層と、前記合成繊維又は該合成繊維とパルプとから成る層とにより構成されていることを特徴とする吸収性物品を提供することによって、より効果的に達成される。
【００１２】
さらにまた、本発明の上記目的は、前記吸収体は、含有率が夫々３０〜７０質量％の高吸収性樹脂と、３５〜６５質量％のバイコンポーネント合成繊維と、０〜１０質量％のパルプとにより構成されていることを特徴とする吸収性物品を提供することによって、より効果的に達成される。
【００１３】
【発明の実施の形態】
以下、本発明の好ましい実施形態について、図面を参照しながら詳細に説明する。
【００１４】
図１は本発明に係る吸収性物品の一例である使い捨て紙おむつ２００の展開斜視図、図２は図１のＢ−Ｂ断面図である。なお、本使い捨て紙おむつ２００は、構成の一部、すなわち後述する吸収体２０４の構成を除くその他の構成は前述した従来の紙おむつ１００と実質的に同一である。このため、以下では、前記従来の使い捨て紙おむつ１００と対応する構成要素に２００番台の対応する同一番号を付して説明する。
【００１５】
すなわち、本使い捨て紙おむつ２００は、表面側より順に、トップシート２０１、セカンドシート２０２、吸収体２０４、クレープ紙２０３、防水フィルム２０５、及びバックシート２０６でおむつ本体２００Ａが形成されている。なお、防水フィルム２０５は必要に応じ設けられるもので、必ずしも必要ではない。また、おむつ本体２００Ａの幅方向には、体液漏れ防止用の立体ギャザー２０７が設けられており、長手方向上側部、すなわち背部側両端部にはファスニングテープ２０８が取り付けられている。本紙おむつ２００は着用者の股間部に装着された後、このファスニングテープ２０８を前身頃の腹部位置に止着して使用される。
【００１６】
本紙おむつ２００では、図２に示すように、吸収体２０４が３層、すなわち第１層〜第３層で構成され、各層が熱融着により積層されている。第１層はポリエチレンとポリプロピレン、ポリエチレンとポリエステル、あるいはポリプロピレンとポリエステル等のバイコンポーネントから成る合成繊維、又は該合成繊維と高吸収性樹脂（Ｓｕｐｅｒ  Ａｂｓｏｒｂｅｎｔ  Ｐｏｌｙｍｅｒ、以下、「ＳＡＰ」という。）とにより構成されている。
【００１７】
また、第２層は、前記ＳＡＰ、又は前記合成繊維と前記ＳＡＰとにより構成されている。
【００１８】
ここに、吸収体２０４に含有する前記ＳＡＰの含有量は３０〜７０質量％であることが望ましい。
【００１９】
さらにまた、第３層は、前記合成繊維、又は前記合成繊維とセルロース繊維から成るパルプとにより構成されている。このように構成された吸収体２０４の下層にはクレープ紙２０３によって第４層が形成されている。
【００２０】
なお、吸収体２０４の層構成は３層に限らず、必要に応じ、層数を適宜変更することができる。
【００２１】
ここに、前記パルプの含有量は０％又は１０質量％以下であることが望ましい。このように、パルプの含有量を０％又は１０質量％以下にすることにより、厚さを薄くすることができると共に、吸収体の強度を増加させることができる。
【００２２】
本紙おむつ２００は、以上のとおり構成され、吸収体２０４を構成する各層が熱融着により接着されているので、各層間に空隙が形成されず、このため体液がトップシート２０１から吸収体２０４に迅速に流れ、吸収、保持される。この結果、体液がトップシート２０１上に保水することがなくなるので、表面がべとつかず、さらさらとしたドライタッチ感を着用者に与えることができる。
【００２３】
また、上記熱融着により各層間の接着力が強化されるので、排尿後に層間剥離性、例えばセカンドシート２０２と吸収体２０４とが剥離することがなくなり、吸収性が一段と向上する。
【００２４】
また、吸収体２０４の合成繊維にバイコンポーネントを用いたので、吸収体２０４の厚さを極めて薄く、例えば０．５ｇ／ｃｍ２  荷重下の厚みが３ｍｍ以下と薄くすることができ、これにより着用時のゴワゴワ感や、携行時の嵩張りをなくすことができる。
【００２５】
また、各層間を熱融着により強固に接着することができるので、従来のような多量のホットメルト接着剤を必要とせず、このため製造コストを大幅に低減することができる。
【００２６】
さらにまた、上述のように大変薄い吸収体であっても、圧力が例えば２．０６８５×１０３Ｐａの加圧下で吸収量は５２０ｇ以上となり、従来の吸収体と同量、又はそれ以上の吸収量である吸収体が得られることが確認されている。
【００２７】
以上、本発明の内容を吸収性物品がテープ式の使い捨て紙おむつを例に説明したが、本発明はこの外、パンツ式の使い捨て紙おむつ、尿取りパッド、生理用ナプキン、あるいは失禁者用パンツ等の公知の吸収性物品についても適用できることはいうまでもない。
【００２８】
【発明の効果】
以上に詳述したように、本発明に係る吸収性物品は、吸収体を複数層に構成し、各層を熱融着により接着して一体化し、厚みを薄くしたので、トップシートから吸収体への体液の流れが良くなり、体液がトップシートに保水しなくなる。このため、本発明に係る吸収性物品によれば、着用者にドライタッチ感を与えることができる。
【００２９】
また、吸収体の各層を合成繊維、特にバイコンポーネント合成繊維で構成しているので、上述したように薄くできることに加え、各層を強固に接着できるので、排尿後の層間剥離をなくすことができる。
【００３０】
さらにまた、接着剤の量が低減されるので、安価に製造することができるという実用上顕著な効果を奏する。
【図面の簡単な説明】
【図１】本発明の実施例に係る紙おむつの展開斜視図である。
【図２】図１のＢ−Ｂ断面図である。
【図３】従来の紙おむつの展開斜視図である。
【図４】図３のＡ−Ａ断面図である。
【符号の説明】
１００，２００        紙おむつ
１００Ａ，２００Ａ    おむつ本体
１０１，２０１        トップシート
１０２，２０２        セカンドシート
１０４，２０４        吸収体
１０５，２０５        防水フィルム
１０６，２０６        バックシート
【図１】
2004329511.tif 000003
【図２】
2004329511.tif 000004
【図３】
2004329511.tif 000005
【図４】
2004329511.tif 000006